(57)【要約】【課題】意図せず熱湯が吐出されるのを防止できるとともに、美観に優れ、省スペース化を図ることができる混合水栓を提供する。【解決手段】混合水栓１は、給水管２から供給される水及び給湯管３から供給される熱湯を混合して流出させる混合弁を内蔵した水栓本体１０と、基端部が水栓本体１０に接続されて水栓本体１０から延出し、混合弁を経由した湯水を流通する湯水流通路及び給湯管からの熱湯を流通する熱湯流通路を有する吐出管２０と、この吐出管２０に形成され、湯水を吐出する湯水吐出口３０と、吐出管２０に形成され、熱湯を吐出する熱湯吐出口４０とを備えている。【選択図】図１
2018040202.tif 000002
【特許請求の範囲】
【請求項１】
給水管から供給される水及び給湯管から供給される熱湯を混合して流出させる混合弁を内蔵した水栓本体と、
基端部が前記水栓本体に接続されて前記水栓本体から延出し、前記混合弁を経由した湯水を流通する湯水流通路及び前記給湯管からの熱湯を流通する熱湯流通路を有する吐出管と、
前記吐出管に形成され、前記湯水を吐出する湯水吐出口と、
前記吐出管に形成され、前記熱湯を吐出する熱湯吐出口と、
を備えていることを特徴とする混合水栓。
【請求項２】
前記水栓本体に設けられ、前記混合弁による前記湯水の混合割合及び吐出量を調節するレバー式ハンドルと、
前記吐出管の先端部に設けられ、前記熱湯の吐出量を調節する回動式ハンドルと、
を備えていることを特徴とする請求項１記載の混合水栓。
【請求項３】
前記熱湯吐出口は、前記湯水吐出口よりも前記吐出管の先端寄りに配置されていることを特徴とする請求項１又は２記載の混合水栓。
【請求項４】
前記湯水吐出口及び前記熱湯吐出口は、前記吐出管の延伸方向に沿って並んで配置されていることを特徴とする請求項１乃至３のいずれか一項に記載の混合水栓。
【請求項５】
前記湯水吐出口及び前記熱湯吐出口は隣接して配置されていることを特徴とする請求項４記載の混合水栓。
【請求項６】
前記回動式ハンドルは、前記吐出管とは、断面形状及び色彩の少なくとも一方が異なる形態で形成されていることを特徴とする請求項１乃至５のいずれか一項に記載の混合水栓。
【請求項７】
前記熱湯吐出口は、前記湯水吐出口による前記湯水の吐出形態とは異なる形態で前記熱湯を吐出することを特徴とする請求項１乃至６のいずれか一項に記載の混合水栓。
【発明の詳細な説明】
【技術分野】
【０００１】
本発明は混合水栓に関するものである。
【背景技術】
【０００２】
特許文献１は従来の混合水栓を開示している。この混合水栓は、栓本体と、混合湯吐出口と、熱湯吐出口とを備えている。栓本体は給水管及び給湯管と接続しており、水と湯を混合する。混合湯吐出口は、栓本体により水と湯が混合された混合湯を吐出する。熱湯吐出口は給湯管からの熱湯を吐出する。
【先行技術文献】
【特許文献】
【０００３】
【特許文献１】特開２０００−９６６４４号公報
【発明の概要】
【発明が解決しようとする課題】
【０００４】
特許文献１の混合水栓の場合、混合湯を吐出するための吐出管と、熱湯を吐出するための吐出管とが別々に設けられている。すなわち、特許文献１の混合水栓は２本の吐出管を有している。このため、混合湯と熱湯が共通の吐出口から吐出される場合とは異なり、熱湯の吐出直後に混合湯を吐出する場合でも、残った熱湯が吐出されてしまうことを防止できる。しかし、２本の吐出管を有しているため、吐出管が１本の混合水栓と比較して、設置される空間が手狭になってしまう。また、吐出管が２本であるので複雑な外観となってしまう。
【０００５】
本発明は、上記従来の実情に鑑みてなされたものであって、意図せず熱湯が吐出されるのを防止できるとともに、美観に優れ、省スペース化を図ることができる混合水栓を提供することを解決すべき課題としている。
【課題を解決するための手段】
【０００６】
本発明の混合水栓は、給水管から供給される水及び給湯管から供給される熱湯を混合して流出させる混合弁を内蔵した水栓本体と、
基端部が前記水栓本体に接続されて前記水栓本体から延出し、前記混合弁を経由した湯水を流通する湯水流通路及び前記給湯管からの熱湯を流通する熱湯流通路を有する吐出管と、
前記吐出管に形成され、前記湯水を吐出する湯水吐出口と、
前記吐出管に形成され、前記熱湯を吐出する熱湯吐出口と、
を備えていることを特徴とする。
【０００７】
この混合水栓は、混合弁を経由した湯水を流通する湯水流通路と、給湯管からの熱湯を流通する熱湯流通路とが１本の吐出管内に配されている。このため、２本の吐出管を有する場合と比較して、シンプルで見栄えの良い外観とすることができる。また、吐出管が１本でありながら、湯水を吐出する湯水吐出口と熱湯を吐出する熱湯吐出口とを別々に設けている。このため、吐出口が共通である場合とは異なり、熱湯を吐出した直後に湯水を吐出する場合でも、残った熱湯が吐出されてしまうことはない。
【０００８】
したがって、本発明の混合水栓は、意図せず熱湯が吐出されるのを防止できるとともに、美観に優れ、省スペース化を図ることができる。
【図面の簡単な説明】
【０００９】
【図１】実施例１に係る混合水栓を示す斜視図である。
【図２】実施例１に係る混合水栓を示す正面図である。
【図３】実施例１に係る混合水栓を示す側面図である。
【図４】実施例１に係る混合水栓の吐出管先端部を示す拡大底面図である。
【図５】実施例１に係る混合水栓の作用を説明するための図である。
【図６】実施例１に係る混合水栓の作用を説明するための図であり、回動式ハンドルを開操作した状態を示す図である。
【図７】実施例１に係る混合水栓の作用を説明するための図であり、レバー式ハンドルを開操作した状態を示す図である。
【図８】実施例２に係る混合水栓を説明するための図である。
【発明を実施するための形態】
【００１０】
本発明における好ましい実施の形態を説明する。
【００１１】
本発明の混合水栓は、前記水栓本体に設けられ、前記混合弁による前記湯水の混合割合及び吐出量を調節するレバー式ハンドルと、
前記吐出管の先端部に設けられ、前記熱湯の吐出量を調節する回動式ハンドルとを備え得る。
【００１２】
この場合、湯水を吐出する際には水栓本体側のレバー式ハンドルを操作し、熱湯を吐出する場合には吐出管の先端部の回動式ハンドルを操作する。このように、異なる形態のハンドルが設けられていることにより誤操作を抑制することができる。また、熱湯を吐出するための回動式ハンドルは、吐出管の先端部に設けられている。このため、回動式ハンドルを操作する手を吐出管の基端側に差し入れることがない。これにより、操作する手を熱湯吐出口に交差させることなくハンドル操作をすることができる。
【００１３】
本発明の混合水栓において、前記熱湯吐出口は、前記湯水吐出口よりも前記吐出管の先端寄りに配置され得る。この場合、熱湯吐出口がより扱いやすい位置に配置されるので、混合水栓の使い勝手を向上させることができる。
【００１４】
本発明の混合水栓において、前記湯水吐出口及び前記熱湯吐出口は、前記吐出管の延伸方向に沿って並んで配置され得る。この場合、吐出管の延伸方向と２つの吐出口の配列方向が揃った統一感のある美観を持たせることができ、意匠性の向上を図ることができる。
【００１５】
本発明の混合水栓において、前記湯水吐出口及び前記熱湯吐出口は隣接して配置され得る。この場合、２つの吐出口が離れている場合と比較して、湯水及び熱湯の吐出位置を近接させることができるので、使い勝手を向上させることができる。
【００１６】
本発明の混合水栓において、前記回動式ハンドルは、前記吐出管とは、断面形状及び色彩の少なくとも一方が異なる形態で形成され得る。この場合、吐出管との視覚的差異で回動式ハンドルの存在を認識させることができる。
【００１７】
本発明の混合水栓において、前記熱湯吐出口は、前記湯水吐出口による前記湯水の吐出形態とは異なる形態で前記熱湯を吐出し得る。この場合、湯水又は熱湯が吐出していることを視覚的に容易に判別することができる。
【００１８】
次に、本発明の混合水栓を具体化した実施例１及び２について、図面を参照しつつ説明する。なお、以下の説明では、便宜上、鉛直方向を上下方向とする。
【００１９】
＜実施例１＞
実施例１の混合水栓１は、壁面取り付け型の水栓である。混合水栓１は、図１〜図４に示すように、水栓本体１０、吐出管２０、湯水吐出口３０及び熱湯吐出口４０を備えている。また、混合水栓１は、レバー式ハンドル５０及び回動式ハンドル６０を備えている。これらの各部材は、大部分を白色の樹脂カバーにより夫々覆われており、全体として白色を呈する清潔感のある意匠とされている。
【００２０】
水栓本体１０は、水平方向に長い略直方体形状をなしている。水栓本体１０の背面両端部には、給水管２及び給湯管３が夫々接続されている。給水管２及び給湯管３は、壁面内の配管から水栓本体１０に水及び湯を夫々供給する。給湯管３は最高約９５℃の熱湯を供給することができる。水栓本体１０は、これら給水管２及び給湯管３からの水及び熱湯を混合して流出させる図示しない混合弁を内蔵している。
【００２１】
吐出管２０は、その基端部が水栓本体１０に回動自在に接続されている。本実施例において、吐出管２０は断面略円形状に形成されている。また、吐出管２０は直線状に延びる直線状部２１を有している。具体的には、吐出管２０は、水栓本体１０の下面の長手方向略中央から下方に突出したのちに側方に屈曲して直線状部２１に接続しており、全体として略Ｌ字状に形成されている。直線状部２１は水平方向に延伸している。吐出管２０は、水栓本体１０の正面前方を中心として、水平面内で約１８０°の範囲で回動自在とされている。吐出管２０は、水栓本体１０の混合弁を経由した湯水を流通する湯水流通路（図示せず）と、給湯管３からの熱湯を夫々流通する熱湯流通路（図示せず）とを有している。すなわち、水栓本体は、湯水と熱湯が別々に流通する２系統の流通路を有している。
【００２２】
湯水吐出口３０は、吐出管２０に形成されて湯水を吐出する。熱湯吐出口４０は、吐出管２０に形成されて熱湯を吐出する。図３に示すように、本実施例に係る湯水吐出口３０及び熱湯吐出口４０は、吐出管２０から夫々異なる突出量で突出して形成されている。本実施例において、湯水吐出口３０及び熱湯吐出口４０は、吐出管２０の直線状部２１の先端部から下方に突出する形態で夫々設けられている。そして、熱湯吐出口４０の下端は、湯水吐出口３０の下端よりも下方まで延びて形成されている。すなわち、熱湯吐出口４０は、湯水吐出口３０よりも大きな突出量で下方に突出している。
【００２３】
湯水吐出口３０及び熱湯吐出口４０は、湯水吐出口３０が吐出管２０の基端側、熱湯吐出口４０が吐出管２０の先端側となる配置で、吐出管２０の直線状部２１の延出する方向に沿って隣接して夫々設けられている。また、湯水吐出口３０及び熱湯吐出口４０は、底面視において、図４に示すように、熱湯吐出口４０が略円形状の外周をなしているとともに、湯水吐出口３０が半長丸形状の外周をなしている。湯水吐出口３０及び熱湯吐出口４０は、湯水吐出口３０が熱湯吐出口４０の円形状の外周に接続することで一体的な意匠をなしている。また、図４に示すように、底面視における熱湯吐出口４０の外径は、底面視における半長丸形状をなす湯水吐出口３０の幅よりも僅かに大きく形成されている。
【００２４】
熱湯吐出口４０の下端部には識別表示部４１が設けられている。識別表示部４１は、熱湯吐出口４０の下端部外周面を、他の部位とは異なる色彩で、帯状に着色して形成されている。本実施例において、識別表示部４１の色彩は赤色としている。また、本実施例において、熱湯吐出口４０から吐出される熱湯は整流状の吐出形態で吐出され、湯水吐出口３０から吐出される湯水は空気の泡沫を含んだ形態で吐出される。
【００２５】
レバー式ハンドル５０は、水栓本体１０の混合弁による湯水の混合割合及び吐出量を調節する操作ハンドルである。レバー式ハンドル５０は、所定の２軸周りに回動自在に水栓本体１０の上面の長手方向略中央に設けられている。本実施例における「所定の２軸」とは、水平方向に延びる軸及び鉛直方向に延びる軸とされている。具体的には、レバー式ハンドル５０は、水平軸周りの回動、すなわち、レバー式ハンドル５０の先端が上下に移動する回動操作により湯水の吐出量を調節する。また、レバー式ハンドル５０は、鉛直軸周りの回動、すなわち、レバー式ハンドル５０の先端が水平に移動する回動操作により、湯水の混合割合を調節する。
【００２６】
回動式ハンドル６０は、給湯管３から供給される熱湯の吐出量を調節する操作ハンドルである。回動式ハンドル６０は、所定の１軸周りに回動自在に吐出管２０の先端部に設けられている。上記「所定の１軸」とは、本実施例においては、水平方向に延びる軸とされている。具体的には、回動式ハンドル６０は、円柱形状をなす吐出管２０の直線状部２１の中心軸Ｃと同軸周りに回動操作することにより、熱湯の吐出量を調節する。回動式ハンドル６０は、吐出管２０の外径と略同径の略円柱形状をなしており、その中心軸が吐出管２０の直線状部２１の中心軸Ｃと同軸になるように、吐出管２０の先端に配置されている。また、回動式ハンドル６０は識別表示部６１を有している。本実施例において、識別表示部６１は、円柱形状をなす回動式ハンドル６０の端面中心から外周方向に延びるとともに、外周面上を中心軸に沿って延びる略Ｌ字状に形成されている。識別表示部６１は、識別表示部４１と同色の赤色に着色されている。
【００２７】
次に、上記のように構成された実施例１の混合水栓１の作用について説明する。
熱湯を吐出する場合には、回動式ハンドル６０を操作する。このとき、回動式ハンドル６０には、赤色に着色された識別表示部４１が設けられていることから、回動式ハンドル６０が熱湯吐出用のハンドルであることが容易に認識される。また、識別表示部４１は他の部位とは異なる形態、具体的には、本実施例の場合には、他の部位とは異なる色彩の赤色としていることから、例えば、図５に示すハッチング部位のように、目立ちやすく操作者の目に留まりやすい。また、識別表示部４１が赤色であることから、熱湯を扱うことに対する注意喚起にもなる。
【００２８】
そして、回動式ハンドル６０を回動操作すると、図６に示すように、熱湯吐出口４０から熱湯が吐出される。熱湯吐出口４０から吐出される熱湯は、通常の吐出形態である整流の状態で吐出される。このとき、回動式ハンドル６０は、吐出管２０の先端に設けられているので、操作者は吐出される熱湯よりも手前で回動操作を行うことができ安全である。また、回動式ハンドル６０は、吐出管２０の外径と略同径の円柱状に形成されており、その中心軸が吐出管２０の直線状部２１の中心軸Ｃと同軸になるように直線状部２１の先端部に配置されているので、すっきりとした美観を呈している。
【００２９】
また、熱湯吐出口４０は湯水吐出口３０よりも吐出管２０の先端寄りの位置に設けられており、吐出管２０の先端に配置された回動式ハンドル６０により近い位置から熱湯が吐出される。また、熱湯が吐出される熱湯吐出口４０には識別表示部４１が設けられていることから、熱湯の吐出位置を容易に認識できる。
【００３０】
また、識別表示部６１は、識別表示部４１と同様に、他の部位とは異なる形態である赤色に着色されているので、操作者の目に留まりやすく、注意を喚起する。更に、識別表示部４１及び識別表示部６１が同色であることから、熱湯吐出口４０と回動式ハンドル６０のとの関連性を認識させやすい。例えば、図５のハッチングで示した部位のように、識別表示部４１，６１によって熱湯吐出口４０及び回動式ハンドル６０が目立って示される。これにより、他の部位と異なることが容易に認識される。また、これら識別表示部４１及び識別表示部６１の関連性も認識しやすい。
【００３１】
湯水を吐出する場合には、図７に示すように、レバー式ハンドル５０を上方に押し上げる。これにより、湯水吐出口３０より湯水が吐出される。このとき、レバー式ハンドル５０を水平方向へ回動させることで、水と熱湯の混合割合が調節される。また、レバー式ハンドル５０の押し上げ量によって湯水の吐出量が調節される。また、湯水吐出口３０は熱湯吐出口４０とは別に設けられていることから、例えば、熱湯を吐出した直後に湯水を吐出する場合でも、残っていた熱湯が不意に吐出してしまうことがない。また、湯水吐出口３０は、その下端が熱湯吐出口４０の下端よりも上方に位置している。すなわち、湯水吐出口３０は、熱湯吐出口４０の突出量よりも小さい突出量で、吐出管２０の直線状部２１の延伸方向に交差する方向に突出している。このことから、熱湯の吐出される熱湯吐出口４０との吐出位置の違いを容易に認識できる。また、湯水吐出口３０は、空気の泡沫を含んだ吐出形態で湯水を吐出するので、整流の状態で吐出される熱湯と視覚的な差異があり、容易に判別できる。
【００３２】
以上のように、本実施例の混合水栓１は、水栓本体１０、吐出管２０、湯水吐出口３０及び熱湯吐出口４０を備えている。水栓本体１０は、図示しない混合弁を内蔵しており、給水管２から供給される水及び給湯管３から供給される熱湯を混合して流出させる。吐出管２０は、基端部が水栓本体１０に回動自在に接続されて水栓本体１０から延出している。また、吐出管２０は、混合された湯水を流通する図示しない湯水流通路と、給湯管３からの熱湯を流通する図示しない熱湯流通路を有している。湯水吐出口３０は、吐出管２０に形成され、湯水を吐出する。熱湯吐出口４０は、吐出管２０に形成され、熱湯を吐出する。
【００３３】
このように、混合水栓１は、湯水を流通する流通路と、熱湯を流通する流通路が１本の吐出管２０内に配されている。このため、２本の吐出管を設ける場合と比較して、省スペースであり、シンプルで見栄えの良い外観とすることができる。また、湯水を吐出する湯水吐出口３０と熱湯を吐出する熱湯吐出口４０とを別々に設けている。このため、吐出口が共通である場合とは異なり、熱湯を吐出した直後に湯水を吐出する場合でも、残った熱湯が吐出されてしまうおそれがない。
【００３４】
したがって、混合水栓１は、意図せず熱湯が吐出されるのを防止できるとともに、美観に優れ、省スペース化を図ることができる。
【００３５】
また、混合水栓１は、レバー式ハンドル５０と回動式ハンドル６０を備えている。レバー式ハンドル５０は、水平軸及び鉛直軸の２軸周りに回動自在に水栓本体１０に設けられ、湯水の混合割合及び吐出量を調節する。回動式ハンドル６０は、吐出管２０の直線状部２１の中心軸Ｃの同軸周りに回動自在に吐出管２０の先端部に設けられ、熱湯の吐出量を調節する。
【００３６】
このような構成により、混合水栓１は、湯水を吐出する際には水栓本体１０のレバー式ハンドル５０を操作し、熱湯を吐出する場合には吐出管２０の先端部の回動式ハンドル６０を操作する。このように、異なる形態の２つのハンドルが設けられていることにより誤操作を抑制することができる。また、回動式ハンドル６０は、吐出管２０の先端部に設けられている。このため、回動式ハンドル６０を操作する手を吐出管２０の基端側に差し入れることがない。これにより、手を熱湯吐出口４０に交差させることなく回動式ハンドル６０の操作をすることができる。
【００３７】
また、熱湯吐出口４０は、湯水吐出口３０よりも吐出管２０の先端寄りに配置されている。このため、熱湯吐出口４０がより扱いやすい位置に配置されるので、混合水栓１の使い勝手を向上させることができる。また、熱湯吐出口４０が湯水吐出口３０よりも吐出管２０の先端部の回動式ハンドル６０寄りの配置となる。これにより、操作者に熱湯吐出口４０と回動式ハンドル６０の関係性を認識させやすく、誤操作を抑制することができる。
【００３８】
また、湯水吐出口３０及び熱湯吐出口４０は、吐出管２０の延伸方向に沿って並んで配置されている。このため、吐出管２０の延伸方向と２つの吐出口３０，４０の配列方向が揃った統一感のある美観を持たせることができ、意匠性の向上を図ることができる。
【００３９】
また、湯水吐出口３０及び熱湯吐出口４０は隣接して配置されている。このため、２つの吐出口が離れている場合と比較して、湯水及び熱湯の吐出位置を近接させることができるので、使い勝手を向上させることができる。
【００４０】
また、熱湯吐出口４０は、湯水吐出口３０による湯水の吐出形態とは異なる形態で熱湯を吐出する。すなわち、熱湯吐出口４０は、整流の吐出形態で熱湯を吐出し、湯水吐出口３０は、空気の泡沫を含んだ吐出形態で湯水を吐出する。このため、湯水又は熱湯が吐出していることを視覚的に容易に判別することができる。
【００４１】
＜実施例２＞
実施例２の混合水栓２０１は、図８に示すように、回動式ハンドル２６０の形態において実施例１と相違する。他の構成は実施例１と同様であり、同一の構成は同一の符号を付して詳細な説明を省略する。
【００４２】
回動式ハンドル２６０は、実施例１の回動式ハンドル６０と同様に、吐出管２０の直線状部２１の先端に設けられており、本発明に係る「所定の１軸」としての直線状部２１の中心軸Ｃと同軸周りに回動操作することにより熱湯の吐出量を調節する。しかし、回動式ハンドル２６０は、吐出管２０とは外径の大きさが異なる形態で形成されている。すなわち、図８に示すように、回動式ハンドル２６０は、吐出管２０とは断面形状が異なる形態で形成されている。
【００４３】
この場合、回動式ハンドル２６０を吐出管２０と同軸上に配置したことにより、吐出管２０の直線状部２１と回動式ハンドル２６０とを統一感のある意匠性に優れた配置を実現することができる。その一方で、回動式ハンドル２６０の外径の大きさが吐出管２０の外径と異なることにより、視覚的差異で回動式ハンドル２６０の存在を認識させることができる。
【００４４】
本発明は上記記述及び図面によって説明した実施例に限定されるものではなく、例えば次のような実施例も本発明の技術的範囲に含まれる。
（１）実施例１及び２では、湯水の混合割合及び吐出量を調節する操作ハンドルとして特定構成のレバー式ハンドルを例示したが、これに限定されるものではない。また、熱湯の吐出量を調節する操作ハンドルとして、特定構成の回転式ハンドルを例示したが、これに限定されるものではない。
（２）実施例１及び２では、特定の配置の湯水吐出口及び熱湯吐出口を例示したが、これらの配置形態は特に限定されない。すなわち、湯水吐出口及び熱湯吐出口は、隣接せずに離間して設けられていてもよい。また、湯水吐出口及び熱湯吐出口は、吐出管の延伸方向に沿って配置されていなくてもよく、更に、湯水吐出口が熱湯吐出口よりも吐出管の先端寄りに配置されていてもよい。
（３）実施例１及び２では、吐出管が側方に直線状に延出する直線状部を有する形態を例示したが、本発明において吐出管が直線状部を有することは必須ではない。すなわち、吐出管は、いわゆるグースネックのように、曲線状に構成されていてもよい。また、直線状部を設ける場合、その延伸方向は側方のみならず、上方や斜め上方等、他の方向であってもよい。
（４）実施例１及び２では、回動式ハンドル及び熱湯吐出口に識別表示部を夫々設けたが、これは必須ではない。識別表示部は、どちらか一方のみに設けられていてもよいし、どちらにも設けられていなくてもよい。また、識別表示部を設ける場合には、その色彩は赤色に限定されないが、他の部位との違いが明確であることが好ましい。また、識別表示部を設ける場合、異なる素材の別部材で設けることで、他の部位との差異を色彩の差異等により表すようにしてもよい。
（５）実施例２では、回動式ハンドルを吐出管と異なる形態で設ける例として、吐出管とは外径の大きさが異なる例を示したが、これに限定されず、例えば、断面形状が星形、多角形状等、吐出管とは異なる断面形状で設けたり、異なる色彩で設けたりなど、種々の形態を採用することができる。
（６）実施例１及び２では、回動式ハンドルに識別表示部を設けて視覚的な差異を表すようにしたが、これに限定されず、例えば、回動式ハンドル全体、又は、回動式ハンドルから熱湯吐出口にかけて、赤色等の他の部位と異なる色彩に着色するなど、他の形態で視覚的差異を示してもよい。
（７）実施例１及び２では、異なる吐出形態の例として、整流状、泡沫状の吐出形態を例示したが、これに限定されず、例えば、シャワー状等の他の吐出形態であってもよい。
（８）実施例１及び２では、レバー式ハンドルが、湯水の混合割合及び吐出量の調節を行うにあたり、所定の２軸周りに回動自在に設けられている形態を例示したが、この構成は必須ではない。また、実施例１及び２では、これら「所定の２軸」として、水平方向に延びる軸（水平軸）と鉛直方向に延びる軸（鉛直軸）を例示したが、これに限定されるものではない。レバー式ハンドルが所定の２軸周りに回動自在に設けられている場合、これら２軸は互いに垂直であることが好ましい。また、この場合、互いに垂直な２軸は、直交していてもよいし、ねじれの位置にあってもよい。また、これら２軸が垂直である場合には厳密な垂直である必要は無く、多少の傾きが生じていてもよい。更に、レバー式ハンドルにより湯水の混合割合及び吐出量の調節を行う形態も必須の構成でなく、他の構成により調節する形態であってもよい。
（９）実施例１及び２では、回動式ハンドルが、熱湯の吐出量の調節を行うにあたり、所定の１軸周りに回動自在に設けられている形態を例示したが、この構成は必須ではない。また、実施例１及び２では、この「所定の１軸」が、吐出管の直線状部の中心軸と同軸である形態を例示したが、これに限定されるものではない。また、回動式ハンドルにより熱湯の吐出量の調節を行う形態も必須の構成でなく、他の構成により調節する形態であってもよい。
【符号の説明】
【００４５】
１，２０１…混合水栓
２…給水管
３…給湯管
１０…水栓本体
２０…吐出管
２１…直線状部
３０…湯水吐出口
４０…熱湯吐出口
４１，６１…識別表示部
５０…レバー式ハンドル
６０，２６０…回動式ハンドル
Ｃ…直線状部の中心軸
【図１】
2018040202.tif 000003
【図２】
2018040202.tif 000004
【図３】
2018040202.tif 000005
【図４】
2018040202.tif 000006
【図５】
2018040202.tif 000007
【図６】
2018040202.tif 000008
【図７】
2018040202.tif 000009
【図８】
2018040202.tif 000010